(57)【要約】【課題】少ないリモコン操作でプリセット漏れのデジタル放送局を選局できる地上波デジタル放送受信装置を提供する。【解決手段】１〜１２又はそれ以上の数字に対応付けられたワンタッチボタンと、ユーザによる１つ目のワンタッチボタンの押下を３桁のサービス番号の上位２桁の入力であると判定する手段を備える。ダイレクト選局の際、１つ目のワンタッチボタンを押した時点で（Ｓ５１）、サービス番号の上２桁と比較して該当放送局数を判定し（Ｓ５２，５３）、放送局が唯一の場合はその時点で同調してその局の番組配列情報を取得する（Ｓ５６）。放送局のテレビサービスが唯一の場合はその時点で選局を完了する（Ｓ６０）。該当する放送局が複数ある場合は視聴者に提示し（Ｓ５４）、その中から任意の放送局を選択する（Ｓ５５）。放送局のテレビサービスが複数ある場合は視聴者に提示し（Ｓ５８）、その中から任意のテレビサービスを選択する（Ｓ５９）。【選択図】        図７
2004274417.tif 000002
【特許請求の範囲】
【請求項１】
３桁のサービス番号の入力によるダイレクト選局を行う地上波デジタル放送受信装置において、０又は１から２桁の整数までの複数の数字のそれぞれに対応付けられた該複数個のワンタッチボタンと、ユーザによる１つ目のワンタッチボタンの押下を、３桁のサービス番号の上位２桁の入力であると判定する手段と、を有することを特徴とする地上波デジタル放送受信装置。
【請求項２】
１桁目のワンタッチボタンを押した時点で、該当するワンタッチボタンに割り当てられたネットワークの数を判定するネットワーク数判定手段と、ネットワークに同調して番組特定情報を含む番組配列情報を取得する情報取得手段と、該取得した番組配列情報から、前記ネットワークのテレビサービスの数を判定するサービス数判定手段と、テレビサービスを選択し、選局を完了する選局手段と、を有することを特徴とする請求項１記載の地上波デジタル放送受信装置。
【請求項３】
前記情報取得手段は、前記ネットワーク数判定手段で判定されたネットワークが唯一の場合には、その時点で該ネットワークに同調して番組配列情報を取得することを特徴とする請求項２記載の地上波デジタル放送受信装置。
【請求項４】
前記選局手段は、前記サービス数判定手段で判定されたテレビサービスが唯一の場合には、その時点で該テレビサービスを選択し、選局を完了することを特徴とする請求項２又は３記載の地上波デジタル放送受信装置。
【請求項５】
前記ネットワーク数判定手段により、ネットワークが唯一でないと判定された場合に、該当する複数のネットワークをユーザに提示する手段と、該提示したネットワークから任意のネットワークを選択する手段と、を有することを特徴とする請求項２乃至４のいずれか１記載の地上波デジタル放送受信装置。
【請求項６】
前記サービス数判定手段により、ネットワークのテレビサービスが唯一でないと判定された場合に、該当するテレビサービスをユーザに提示する手段と、該提示したテレビサービスから任意のテレビサービスを選択する手段と、を有することを特徴とする請求項２乃至５のいずれか１記載の地上波デジタル放送受信装置。
【請求項７】
当該地上波デジタル放送受信装置は、衛星デジタル放送受信手段及び／又は地上波アナログ放送受信手段を有することを特徴とする請求項１乃至６のいずれか１記載の地上波デジタル放送受信装置。
【請求項８】
ユーザによる２つ目のワンタッチボタンの押下を、前記サービス番号の残り１桁の入力であると判定する手段を有することを特徴とする請求項１記載の地上波デジタル放送受信装置。
【請求項９】
３桁のサービス番号の入力によるダイレクト選局を行う地上波デジタル放送受信装置において、０又は１から２桁の整数までの複数の数字のそれぞれに対応付けられた該複数個のワンタッチボタンと、ユーザによる１つ目のワンタッチボタンの押下を、３桁のサービス番号の上位１桁の入力であると判定し、ユーザによる２つ目のワンタッチボタンの押下を、前記サービス番号の残り２桁の入力であると判定する手段と、を有することを特徴とする地上波デジタル放送受信装置。
【請求項１０】
３桁のサービス番号の入力によるダイレクト選局を行う地上波デジタル放送受信装置における選局方法において、０又は１から２桁の整数までの複数の数字のそれぞれに対応付けられた該複数個のワンタッチボタンに対し、ユーザによる１つ目のワンタッチボタンの押下を、３桁のサービス番号の上位２桁の入力であると判定するステップを有することを特徴とする地上波デジタル放送受信装置における選局方法。
【請求項１１】
１桁目のワンタッチボタンを押した時点で、該当するワンタッチボタンに割り当てられたネットワーク（放送局）の数を判定するネットワーク数判定ステップと、ネットワークに同調して番組特定情報を含む番組配列情報を取得する情報取得ステップと、該取得した番組配列情報から、前記ネットワークのテレビサービスの数を判定するサービス数判定ステップと、テレビサービスを選択し、選局を完了する選局ステップと、を有することを特徴とする請求項１０記載の地上波デジタル放送受信装置における選局方法。
【請求項１２】
前記情報取得ステップは、前記ネットワーク数判定ステップで判定されたネットワークが唯一の場合には、その時点で該ネットワークに同調して番組配列情報を取得することを特徴とする請求項１１記載の地上波デジタル放送受信装置における選局方法。
【請求項１３】
前記選局ステップは、前記サービス数判定ステップで判定されたテレビサービスが唯一の場合には、その時点で該テレビサービスを選択し、選局を完了することを特徴とする請求項１１又は１２記載の地上波デジタル放送受信装置における選局方法。
【請求項１４】
前記ネットワーク数判定ステップにより、ネットワークが唯一でないと判定された場合に、該当する複数のネットワークをユーザに提示するステップと、該提示したネットワークから任意のネットワークを選択するステップと、を有することを特徴とする請求項１１乃至１３のいずれか１記載の地上波デジタル放送受信装置における選局方法。
【請求項１５】
前記サービス数判定ステップにより、ネットワークのテレビサービスが唯一でないと判定された場合に、該当するテレビサービスをユーザに提示するステップと、該提示したテレビサービスから任意のテレビサービスを選択するステップと、を有することを特徴とする請求項１１乃至１４のいずれか１記載の地上波デジタル放送受信装置における選局方法。
【請求項１６】
衛星デジタル放送及び／又は地上波アナログ放送を受信し選局するステップを有することを特徴とする請求項１０乃至１５のいずれか１記載の地上波デジタル放送受信装置における選局方法。
【請求項１７】
ユーザによる２つ目のワンタッチボタンの押下を、前記サービス番号の残り１桁の入力であると判定するステップを有することを特徴とする請求項１０記載の地上波デジタル放送受信装置における選局方法。
【請求項１８】
３桁のサービス番号の入力によるダイレクト選局を行う地上波デジタル放送受信装置における選局方法において、０又は１から２桁の整数までの複数の数字のそれぞれに対応付けられた該複数個のワンタッチボタンに対し、ユーザによる１つ目のワンタッチボタンの押下を、３桁のサービス番号の上位１桁の入力であると判定し、ユーザによる２つ目のワンタッチボタンの押下を、前記サービス番号の残り２桁の入力であると判定するステップを有することを特徴とする地上波デジタル放送受信装置における選局方法。
【請求項１９】
請求項１乃至９のいずれか１記載の地上波デジタル放送受信装置として、コンピュータを機能させるためのプログラム。
【請求項２０】
請求項１０乃至１８のいずれか１記載の地上波デジタル放送受信装置における選局方法を、コンピュータに実行させるためのプログラム。
【請求項２１】
請求項１９又は２０記載のプログラムを記録したコンピュータ読み取り可能な記録媒体。
【発明の詳細な説明】
【０００１】
【発明の属する技術分野】
本発明は、地上波デジタル放送受信装置、その装置における選局方法、プログラム、及び記録媒体に関する。
【０００２】
【従来の技術】
従来のアナログ放送では、原則として、１つの放送局は１つの周波数（チャンネル）で１つのテレビサービスを実施していた。このため一般視聴者は、アナログテレビ放送では、放送局とチャンネルと提供されるテレビサービスを結び付けて認識していた。
【０００３】
地上波テレビ放送のデジタル化に際し、従来のアナログ放送を残したまま、同時にデジタル放送を行うために、各放送局は、アナログ放送とは別の周波数でデジタル放送を開始することになる。この際に、従来のアナログ放送で視聴者が認識していたチャンネル番号と同じ番号でデジタル放送を受信できるように、放送局がワンタッチボタンへの割り当てを希望する番号を、放送波の中のＰＳＩ（Ｐｒｏｇｒａｍ  Ｓｐｅｃｉｆｉｃ  Ｉｎｆｏｒｍａｔｉｏｎ：番組特定情報）に含まれる、ＮＩＴ（Ｎｅｔｗｏｒｋ  Ｉｎｆｏｒｍａｔｉｏｎ  Ｔａｂｌｅ）上のｒｅｍｏｔｅ＿ｃｏｎｔｒｏｌ＿ｋｅｙ＿ｉｄで、１〜１２のワンタッチキーを指定する仕組みが用意され、従来のアナログ放送のチャンネル番号での選局に準じた方法で、デジタル放送の選局操作を行える仕組みが作られた。
【０００４】
しかしながら、デジタルテレビ放送では、放送局は１つの周波数に複数のテレビサービスを多重して放送することが可能となったため、放送局が複数のサービスを提供する場合は、二番目以降のサービスの選択方法が新たに必要となっている。
【０００５】
また、地上波アナログ及びデジタル放送共用受信機の場合は、各放送局のアナログ放送と、デジタル放送が同じ番号で重なるため、選局の際、アナログとデジタルの区別が必要となり、この区別を行うための技術が提案されている（例えば、特許文献１参照）。
【０００６】
特許文献１に記載の発明では、アナログ放送とデジタル放送を混在して登録（プリセット）することを可能としており、アナログ放送に対しては各チャンネル毎にポジション番号を割り当て、デジタル放送に対しては、同じチャンネルであってもサービス番号が異なる番組には、それぞれ異なるポジション番号を割り当て、各ポジション番号毎に、チャンネル情報、アナログ放送かデジタル放送かを示す識別情報及びデジタル放送である場合にはサービス番号からなるチャンネルリスト情報をそれぞれ記憶しておき、ユーザに、ポジション番号を直接に又はアップダウンキーによって間接的に指定させ、ユーザによって指定されたポジション番号に対応するチャンネルリスト情報に基づいて、選局・番組抽出処理を行なうようにしている。これは、１つの番号に重複するアナログ放送とデジタル放送をユーザが選んで登録するための、１つの解決策となる。
【０００７】
【特許文献１】
特開２００１−１３６４４３号公報
【０００８】
【発明が解決しようとする課題】
しかしながら、上述の受信機のように、アナログ放送とデジタル放送を混在して登録（プリセット）すると、一般に１２個程度のワンタッチボタンに、アナログとデジタルの放送チャンネル（サービス）全てを登録することができないという問題を有している。
【０００９】
アナログ放送の場合、ワンタッチボタンに登録しないと選局できないので、アナログ放送局の登録は必須である。そのため、プリセットから漏れたデジタル放送局の選局方法が問題となる。
【００１０】
この問題に関し、地上デジタル放送のワンタッチボタンによらない選局方法（ダイレクト選局）としてＡＲＩＢ  ＴＲ−Ｂ１４に提示されている方法では、３桁の数字を入力し、必要な場合（３桁の数字が重複した放送がある場合）はさらにもう一桁（枝番を）入力する仕組みが推奨されている。３桁の数字の内容は、テレビ放送の場合、上位２桁が、放送局が指定するワンタッチボタンの数字（１〜１２）を２桁で表し、最下位がその放送のサービスの番号を示している。放送局が指定するワンタッチボタンの番号が重複している場合は、重複した放送局の中から選ぶための枝番として更に１桁数字の入力を必要としている。従って、この方法では、１ボタン操作であるワンタッチボタン選局に比べて、極めて煩雑な操作をユーザに要求していることとなる。
【００１１】
本発明は、上述のごとき実情に鑑みてなされたものであり、１〜３回の、より少ないリモコンボタン操作で、プリセットから漏れたデジタル放送局を選局することが可能な、地上波デジタル放送受信装置、その装置における選局方法、プログラム、及びコンピュータ読み取り可能な記録媒体を提供することをその目的とする。
【００１２】
【課題を解決するための手段】
本発明は、以下に示す各技術手段により構成され、地上波デジタル放送のワンタッチボタンによらない選局方法（ダイレクト選局）としてＡＲＩＢ  ＴＲ−Ｂ１４に提示の方法では３回又は４回の数字入力を要求していることに比べ、極めて少ないリモコンボタン操作（１〜３回）で、プリセット（ワンタッチボタンへの登録）から漏れたデジタル放送局の選局を可能としており、従ってユーザのテレビサービス選択を容易にしている。
【００１３】
第１の技術手段は、３桁のサービス番号の入力によるダイレクト選局を行う地上波デジタル放送受信装置において、０又は１から２桁の整数までの複数の数字のそれぞれに対応付けられた該複数個のワンタッチボタンと、ユーザによる１つ目のワンタッチボタンの押下を、３桁のサービス番号の上位２桁の入力であると判定する手段と、を有することを特徴としたものである。
【００１４】
第２の技術手段は、第１の技術手段において、１桁目のワンタッチボタンを押した時点で、該当するワンタッチボタンに割り当てられたネットワークの数を判定するネットワーク数判定手段と、ネットワークに同調して番組特定情報を含む番組配列情報を取得する情報取得手段と、該取得した番組配列情報から、前記ネットワークのテレビサービスの数を判定するサービス数判定手段と、テレビサービスを選択し、選局を完了する選局手段と、を有することを特徴としたものである。
【００１５】
第３の技術手段は、第２の技術手段において、前記情報取得手段は、前記ネットワーク数判定手段で判定されたネットワークが唯一の場合には、その時点で該ネットワークに同調して番組配列情報を取得することを特徴としたものである。
【００１６】
第４の技術手段は、第２又は第３の技術手段において、前記選局手段は、前記サービス数判定手段で判定されたテレビサービスが唯一の場合には、その時点で該テレビサービスを選択し、選局を完了することを特徴としたものである。
【００１７】
第５の技術手段は、第２乃至第４いずれか１の技術手段において、前記ネットワーク数判定手段により、ネットワークが唯一でないと判定された場合に、該当する複数のネットワークをユーザに提示する手段と、該提示したネットワークから任意のネットワークを選択する手段と、を有することを特徴としたものである。
【００１８】
第６の技術手段は、第２乃至第５いずれか１の技術手段において、前記サービス数判定手段により、ネットワークのテレビサービスが唯一でないと判定された場合に、該当するテレビサービスをユーザに提示する手段と、該提示したテレビサービスから任意のテレビサービスを選択する手段と、を有することを特徴としたものである。
【００１９】
第７の技術手段は、第１乃至第６いずれか１の技術手段において、当該地上波デジタル放送受信装置は、衛星デジタル放送受信手段及び／又は地上波アナログ放送受信手段を有することを特徴としたものである。
【００２０】
第８の技術手段は、第１の技術手段において、ユーザによる２つ目のワンタッチボタンの押下を、前記サービス番号の残り１桁の入力であると判定する手段を有することを特徴としたものである。
【００２１】
第９の技術手段は、３桁のサービス番号の入力によるダイレクト選局を行う地上波デジタル放送受信装置において、０又は１から２桁の整数までの複数の数字のそれぞれに対応付けられた該複数個のワンタッチボタンと、ユーザによる１つ目のワンタッチボタンの押下を、３桁のサービス番号の上位１桁の入力であると判定し、ユーザによる２つ目のワンタッチボタンの押下を、前記サービス番号の残り２桁の入力であると判定する手段と、を有することを特徴としたものである。
【００２２】
第１０の技術手段は、３桁のサービス番号の入力によるダイレクト選局を行う地上波デジタル放送受信装置における選局方法において、０又は１から２桁の整数までの複数の数字のそれぞれに対応付けられた該複数個のワンタッチボタンに対し、ユーザによる１つ目のワンタッチボタンの押下を、３桁のサービス番号の上位２桁の入力であると判定するステップを有することを特徴としたものである。
【００２３】
第１１の技術手段は、第１０の技術手段において、１桁目のワンタッチボタンを押した時点で、該当するワンタッチボタンに割り当てられたネットワーク（放送局）の数を判定するネットワーク数判定ステップと、ネットワークに同調して番組特定情報を含む番組配列情報を取得する情報取得ステップと、該取得した番組配列情報から、前記ネットワークのテレビサービスの数を判定するサービス数判定ステップと、テレビサービスを選択し、選局を完了する選局ステップと、を有することを特徴としたものである。
【００２４】
第１２の技術手段は、第１１の技術手段において、前記情報取得ステップは、前記ネットワーク数判定ステップで判定されたネットワークが唯一の場合には、その時点で該ネットワークに同調して番組配列情報を取得することを特徴としたものである。
【００２５】
第１３の技術手段は、第１１又は第１２の技術手段において、前記選局ステップは、前記サービス数判定ステップで判定されたテレビサービスが唯一の場合には、その時点で該テレビサービスを選択し、選局を完了することを特徴としたものである。
【００２６】
第１４の技術手段は、第１１乃至第１３いずれか１の技術手段において、前記ネットワーク数判定ステップにより、ネットワークが唯一でないと判定された場合に、該当する複数のネットワークをユーザに提示するステップと、該提示したネットワークから任意のネットワークを選択するステップと、を有することを特徴としたものである。
【００２７】
第１５の技術手段は、第１１乃至第１４いずれか１の技術手段において、前記サービス数判定ステップにより、ネットワークのテレビサービスが唯一でないと判定された場合に、該当するテレビサービスをユーザに提示するステップと、該提示したテレビサービスから任意のテレビサービスを選択するステップと、を有することを特徴としたものである。
【００２８】
第１６の技術手段は、第１０乃至第１５いずれか１の技術手段において、衛星デジタル放送及び／又は地上波アナログ放送を受信し選局するステップを有することを特徴としたものである。
【００２９】
第１７の技術手段は、第１０の技術手段において、ユーザによる２つ目のワンタッチボタンの押下を、前記サービス番号の残り１桁の入力であると判定するステップを有することを特徴としたものである。
【００３０】
第１８の技術手段は、３桁のサービス番号の入力によるダイレクト選局を行う地上波デジタル放送受信装置における選局方法において、０又は１から２桁の整数までの複数の数字のそれぞれに対応付けられた該複数個のワンタッチボタンに対し、ユーザによる１つ目のワンタッチボタンの押下を、３桁のサービス番号の上位１桁の入力であると判定し、ユーザによる２つ目のワンタッチボタンの押下を、前記サービス番号の残り２桁の入力であると判定するステップを有することを特徴としたものである。
【００３１】
第１９の技術手段は、第１乃至第９いずれか１の技術手段の地上波デジタル放送受信装置として、コンピュータを機能させるためのプログラムである。
【００３２】
第２０の技術手段は、第１０乃至第１８いずれか１の技術手段の地上波デジタル放送受信装置における選局方法を、コンピュータに実行させるためのプログラムである。
【００３３】
第２１の技術手段は、第１９又は第２０の技術手段のプログラムを記録したコンピュータ読み取り可能な記録媒体である。
【００３４】
【発明の実施の形態】
以下、本発明の一実施形態に係る地上波デジタル放送受信装置、及びその装置における選局方法を、地上波アナログ放送も受信可能な地上波アナログ及びデジタル放送共用受信装置における選局方法を例として、図面を参照しながら説明する。なお、本発明に係る地上波デジタル放送受信装置は、地上波アナログ放送に対応していなくてもよく、また衛星アナログ放送，衛星デジタル放送，ＣＡＴＶなどにも併せて対応していてもよい。衛星アナログ放送，衛星デジタル放送，ＣＡＴＶなどに対応させる場合、本発明に係る地上波デジタル放送受信装置に、対応させる放送を受信する放送受信手段を備えるようにすればよい。
【００３５】
図１は、本発明の一実施形態に係る地上波アナログ及びデジタル放送共用受信装置の一構成例を示す機能ブロック図である。
本構成例で示す地上波アナログ及びデジタル放送共用受信装置（しばしば、本受信装置と呼ぶ）は、アンテナ１、アナログ選局部２、アナログ復調部３、映像・音声選択部４、情報重畳部５、映像・音声出力部６、デジタル選局部７、デジタル復調部８、多重ＴＳ分離部９、映像・音声デコーダ１０、選局制御部１１、情報記憶部１２、リモコン受信部１３、及びリモコン１４から構成されている。
【００３６】
本発明に係る地上波デジタル放送受信装置は、３桁のサービス番号の入力によるダイレクト選局を行う受信装置であり、リモコン１４などに、０又は１から２桁の整数までの複数の数字のそれぞれに対応付けられた該複数個のワンタッチボタンを備えるものとする。なお、以下の説明では、このワンタッチボタンとして、１〜１２或いはそれ以上の数字を刻印されたリモコン上のワンタッチボタンを例示して説明している。また、本発明の一実施形態に係る地上波デジタル放送受信装置は、ユーザによる１つ目のワンタッチボタンの押下を、３桁のサービス番号の上位２桁の入力であると判定する手段を備えるようにしている。この手段は、例えば主として選局制御部１１及び選局制御部１１にて制御する部位にハードウェアとして備えればよい。
【００３７】
次に、上述のごとき構成をもつ本受信装置における処理を、信号の流れに沿って説明する。
まず、アンテナ１では、地上波アナログ放送信号と地上波デジタル放送信号とを受信する。アンテナ１で取り込まれた放送信号は、アナログ選局部２並びにデジタル選局部７へ送られる。
【００３８】
アナログ放送に対しては、アナログ選局部２で特定の周波数に同調し、得られた中間周波信号をアナログ復調部３に送る。アナログ復調部３では、入力された信号を復調し、映像信号，音声信号を取り出し、映像・音声選択部４へ送る。
【００３９】
デジタル放送に対しては、デジタル選局部７で特定の周波数に同調して、得られた中間周波信号をデジタル復調部８に送る。デジタル復調部８では、入力された信号を復調し、得られたＴＳ（トランスポートストリーム）を多重ＴＳ分離部９へ送る。多重ＴＳ分離部９では、入力されたＴＳの中に多重化されたデータから、所望の映像データ，音声データを取り出し、映像・音声デコーダ１０へ送る。映像・音声デコーダ１０では、入力された、圧縮された映像データ，音声データをデコード（伸長）し、映像・音声選択部４へ送る。
【００４０】
映像・音声選択部４では、入力されたアナログ放送及びデジタル放送の、映像及び音声信号のうち、必要な信号を選択して、情報重畳部５へ送る。情報重畳部５では、必要に応じて、入力された映像信号に番組情報等の画面表示情報を重畳し、及び／又は、音声信号に内蔵音声を合成して、映像・音声出力部６へ送る。映像・音声出力部６は、入力された映像信号及び音声信号を出力する。
【００４１】
一方、本受信装置では、ユーザからの選局操作に対し、次の流れに従って処理が行われる。
まず、ユーザによるリモコン１４の操作により選局操作が行われる。リモコン受信部１３では、この選局操作を受信し、選局制御部１１へ送る。本発明は、各実施形態で後述するが、主として選局制御部１１における制御に係わるものである。
【００４２】
選局制御部１１では、リモコンによる選局操作を解釈し、選局操作に応じた指示を行う。選局操作がアナログ放送チャンネルの選局の場合には、指定されたチャンネルの周波数への同調をアナログ選局部２へ指示し、アナログ放送信号の選択を映像・音声選択部４へ、選局したアナログチャンネルの情報表示を情報重畳部５へ指示する。この結果、ユーザが指示したアナログ放送チャンネルが映像・音声出力部６より出力される。
【００４３】
また、ユーザによる選局操作がデジタル放送サービスの選局の場合には、指定されたサービスの周波数への同調をデジタル選局部７へ指示し、指定されたサービスの選択を多重ＴＳ分離部９へ、デジタル放送信号の選択を映像・音声選択部４へ、選局したデジタル放送サービスの情報表示を情報重畳部５へ指示する。この結果、ユーザが指示したデジタル放送サービスが映像・音声出力部６より出力される。
【００４４】
選局制御部１１は、情報記憶部１２にアナログ放送のチャンネル情報及びデジタル放送のサービス情報を保持し（例えば後述するサービスリスト等の形態で保持）、ユーザからの選局操作の際、情報記憶部１２に記録されているチャンネル及びサービス情報に基づき、アナログ放送の選局においてはアナログ選局部２，映像・音声選択部４，情報重畳部５を制御する。また、デジタル放送の選局においては、デジタル選局部７，多重ＴＳ分離部９，映像・音声選択部４，情報重畳部５を制御する。
【００４５】
なお、地上波アナログ放送の受信機能を持たない、地上波デジタル放送専用受信装置の場合、図１の構成のうち、アナログ選局部２，アナログ復調部３，映像・音声選択部４が不要であり、これらを除いた構成となる。
【００４６】
図２は、地上波デジタル放送のサービスリストの一例を示す図で、図中、２０は地上波デジタル放送のサービスリストの一例を示している。
サービスリスト２０には、サービス番号２１，枝番２２，ワンタッチボタン２３，放送周波数２４がお互い対応付けられて記録されている。図２のサービスリスト２０では、全部で１２個のテレビサービスがサービスリスト２０に登録されていて、このうち１０個のサービスがワンタッチボタン２３に登録されている状態を例示している。サービス番号０１１のテレビサービスは、ワンタッチボタンの１に割り当てられていて、ダイレクト選局の際は、サービス番号０１１のサービスがもう１つあるため、枝番の０の入力が必要な状態であることを示している。
【００４７】
まず、ここで本発明との比較のため、従来のダイレクト選局による選局処理を、図３を参照して説明する。
図３は、従来技術の地上波デジタル放送受信装置における、ダイレクト選局による選局処理を説明するためのフロー図である。
【００４８】
まず、ステップＳ１，ステップＳ２，ステップＳ３で、１桁目，２桁目，３桁目の数字をそれぞれ入力する。３桁揃った時点でサービスリストを参照し（ステップＳ４）、該当するサービスの数を判定し（ステップＳ５）、１つであればそのサービスを選局（ステップＳ８）し、複数あれば、ステップＳ６で枝番の入力要求を提示して、ステップＳ７の枝番入力を行い、そのサービスを選局（ステップＳ８）する。
【００４９】
図２のサービスリストを利用した場合の実際の操作例を説明する。まず、ステップＳ１で「０」、ステップＳ２で「１」、ステップＳ３で「１」がそれぞれ入力されると、ステップＳ４でサービスリストからサービス番号０１１のテレビサービスを検索する。ステップＳ５において該当するテレビサービスは２つあるため、ステップＳ６で枝番の入力要求を提示して、ステップＳ７で枝番入力が行われる。ここで「１」と入力されると、サービス番号０１１枝番１のサービスを選局する（ステップＳ８）。
【００５０】
図４は、本発明の第１の実施形態に係る地上波デジタル放送受信装置における、ダイレクト選局による選局処理の一例を説明するためのフロー図である。
本発明の第１の実施形態に係る地上波デジタル放送受信装置は、ユーザによる１つ目のワンタッチボタンの押下を、３桁のサービス番号の上位２桁の入力であると判定する手段を備えるようにしている。ここでは、ユーザによる２つ目のワンタッチボタンの押下を、サービス番号の残り１桁の入力であると判定する手段を備えた例を説明する。なお、これらの手段は、例えば主として選局制御部１１及び選局制御部１１にて制御する部位にハードウェアとして備えればよい。
【００５１】
第１の実施形態に係る選局処理では、まず、ステップＳ１１で、１つ目の１〜１２或いはそれ以上の数字（２桁の数字）を刻印されたリモコン上のワンタッチボタンをユーザが操作（押下）することで、数字（ワンタッチ数字と呼ぶ）を入力する。すなわち、ユーザによるリモコン操作（ワンタッチボタンの押下）で１つ目のワンタッチ数字を入力する。
【００５２】
続いてステップＳ１２で、ユーザによるリモコン操作で２つ目のワンタッチ数字を入力する。ステップＳ１３で、入力された２つの数字から、サービスリストを参照して該当するサービスの数を判定する（ステップＳ１４）。ステップＳ１４で該当するサービスが複数ある場合は、同一３桁サービス番号が複数あるケースであり、枝番入力要求を提示して（ステップＳ１５）、ユーザによるリモコン操作で選択された枝番を入力する（ステップＳ１６）。ステップＳ１４で該当するサービスが１つだけの場合、及びステップＳ１６で枝番を入力した場合は、指定されたサービスを選局して（ステップＳ１７）、ユーザに提示する。
【００５３】
なお、本実施形態では２つの数字を入力することとなるが、両方の入力で３桁の数字を入力できればよく、最初の入力を２桁の入力として取り扱うか２回目の入力を２桁の入力として取り扱うかを予め決めておけばよい。この点で、第１の実施形態に関する選局処理の説明は、ユーザによる１つ目のワンタッチボタンの押下を、３桁のサービス番号の上位１桁の入力であると判定し、ユーザによる２つ目のワンタッチボタンの押下を、前記サービス番号の残り２桁の入力であると判定する手段を有する、他の実施形態の地上波デジタル放送受信装置に対しても援用できるといえる。
【００５４】
図２のサービスリストを例に取って説明する。ステップＳ１１でワンタッチボタン「１」が押され、ステップＳ１２で２つ目のリモコン入力で「１」が入力された場合、ステップＳ１３で、ステップＳ１１で入力した「１」を上２桁が０１と判断し、ステップＳ１２で入力した「１」と併せて、サービス番号０１１のサービスを図２のサービスリストを参照して探す。検索により枝番０及び枝番１の２つのサービスが見つかるので、ステップＳ１４の判定は複数ありとなり、ステップＳ１５で枝番入力要求を提示して、ステップＳ１６でリモコンから０又は１の枝番を入力することにより、ステップＳ１７でその枝番に対応するサービスを選局し、ユーザにサービスを提示する。
【００５５】
図２のサービスリストを使った別のケースでは、ステップＳ１１のワンタッチボタン入力が「１０」、ステップＳ１２のリモコン入力が「１」の場合は、ステップＳ１３でサービスリストを参照すると、上位２桁が１０で３桁目が１の「１０１」に該当するサービスがサービス番号１０１枝番０の１つだけなので、該当するサービスは１つだけとなる。従って、ステップＳ１７に進み、該当サービスを選局し、ユーザに提示する。
【００５６】
本発明の第１の実施形態によれば、１〜１２或いはそれ以上の値を持つワンタッチボタン（ワンタッチキーともいえる）を利用することで、従来３〜４回のリモコン操作を必要としたダイレクト番号選局を、２〜３回のリモコン操作で行うことが可能となる。
【００５７】
図５は、本発明の第２の実施形態に係る地上波デジタル放送受信装置における、ダイレクト選局による選局処理の一例を説明するためのフロー図である。
本発明の第２の実施形態に係る地上波デジタル放送受信装置は、ネットワーク数判定手段と、情報取得手段と、サービス数判定手段と、選局手段とを備えるものとする。なお、これらの手段は、例えば主として選局制御部１１及び選局制御部１１にて制御する部位にハードウェアとして備えればよい。
【００５８】
ネットワーク数判定手段は、１桁目のワンタッチボタンを押した時点で、該当するワンタッチボタンに割り当てられたネットワーク（放送局）の数を判定する。情報取得手段は、ネットワークに同調して番組特定情報を含む番組配列情報を取得する。サービス数判定手段は、取得した番組配列情報から、そのネットワークのテレビサービスの数を判定する。選局手段は、テレビサービスを選択し、選局を完了する。
【００５９】
ここで、情報取得手段は、ネットワーク数判定手段で判定されたネットワークが唯一の場合には、その時点でそのネットワークに同調して番組配列情報を取得するようにすることが好ましい。また、選局手段は、サービス数判定手段で判定されたテレビサービスが唯一の場合には、その時点でそのテレビサービスを選択し、選局を完了するようにすることが好ましい。
【００６０】
第２の実施形態に係る選局処理では、まず、ステップＳ２１で、ユーザによるリモコン操作（ワンタッチボタンの押下）で１つ目の１〜１２或いはそれ以上の数字を刻印されたワンタッチ数字を入力し、その時点でサービスリストを参照して、入力されたワンタッチ数字とリスト上の（放送局を示す）サービス番号の上位２桁とを比較する（ステップＳ２２）。この比較により該当するネットワーク（放送局）が複数あるかを判定する（ステップＳ２３）。ステップＳ２３で、該当するネットワーク（放送局）が１つであれば、その（放送局の）サービスの周波数に同調し（ステップＳ２４）、現在放送中のテレビサービスの数を判定する（ステップＳ２５）。ここで、放送局の周波数に同調する理由は、ＰＡＴ（Ｐｒｏｇｒａｍ  Ａｓｓｏｃｉａｔｉｏｎ  Ｔａｂｌｅ）／ＰＭＴ（ＰｒｏｇｒａｍＭａｐ  Ｔａｂｌｅ）など、そのネットワークのＳＩ（番組特定情報を含む番組配列情報）を取得して、実際に放送中のサービスを正確に把握するためである。放送局が放送予定のサービスの情報は、事前にＮＩＴを取得して受信機に保持しているが、放送するサービスの数は、放送局の判断で動的に変化させることが可能なので、現在放送中のサービスの数及び番号は、実際に放送波に同調して、放送しているサービスの情報を示すＰＡＴ及びＰＭＴを取得するまでわからないからである。このステップＳ２４及びＳ２５によってテレビサービスを判定し、テレビサービスが１つだけの場合は、そのサービスを選局し（ステップＳ２７）、ユーザに提示する。
【００６１】
ステップＳ２５でサービスが複数ある場合は、ユーザによるリモコン操作の２つ目の数字（サービス番号を表す数字）の入力によりサービスを選択し（ステップＳ２６）、指定されたサービスを選局し（ステップＳ２７）、ユーザに提示する。
【００６２】
ステップＳ２３で、該当する放送局が複数ある場合は、ユーザによるリモコン操作の２つ目のワンタッチ数字入力によりサービス番号を入力して（ステップＳ２８）３桁のサービス番号を作成し、その時点でサービスリストを参照して（ステップＳ２９）、該当するサービスが複数あるかを判定する（ステップＳ３０）。すなわち、サービスリストを参照して、入力されたワンタッチ数字とリスト上のサービス番号の３桁目とを比較する（ステップＳ２９）。なお、本実施形態におけるステップＳ２８でのサービス番号の入力は、ワンタッチ数字の入力によるものでなくてもよく、その他のボタンを利用してもよい。ステップＳ２９での比較により該当するサービスが複数あるかを判定する（ステップＳ３０）。ステップＳ３０で、該当するサービスが１つだけであれば、そのネットワーク（放送局）に同調し、指定されたサービスを選局して（ステップＳ３３）、ユーザに提示する。ステップＳ３０で、該当するサービスが複数ある場合は、同一３桁サービス番号が複数あるケースであり、ステップＳ３１で枝番入力要求を提示して、ユーザによるリモコン操作で選択する枝番を入力し（ステップＳ３２）、選択されたサービスのネットワーク（放送局）に同調し、指定されたサービスを選局して（ステップＳ３３）、ユーザに提示する。
【００６３】
図２のサービスリストを例に取って説明する。ステップＳ２１でワンタッチボタン「１」が押された場合、ステップＳ２２で図２のサービスリストを参照し、上２桁が０１のサービスを探すと、枝番０と枝番１の２つの０１１のサービス及びサービス番号０１２枝番１の合計３つのサービスが見つかる。従って、ステップＳ２３での判定は複数ありとなり、ステップＳ２８へ進む。続いて２つ目のリモコン入力で１が入力されると、枝番０と枝番１の２つの０１１のサービスが該当しているので、ステップＳ２９でサービスリストの参照を経て、ステップＳ３０の判定はサービスが複数ありとなる。従って、ステップＳ３１で枝番入力要求を提示し、ステップＳ３２でリモコンから０又は１の枝番を入力することによりそのサービスを選局し、ユーザにサービスを提示する。
【００６４】
図２のサービスリストを使った別のケースでは、ステップＳ２１のワンタッチボタン入力が「４」の場合は、ステップＳ２３で上位２桁が０４に該当するサービスがサービス番号０４１枝番０の１つだけなので、ステップＳ２４に進む。ステップＳ２４でネットワークに同調して該当するサービスを調べると、ステップＳ２５の判定で１つだけとなり、ステップＳ２７でサービスを選局し、ユーザに提示する。
【００６５】
本発明の第２の実施形態によれば、従来３〜４回のリモコン操作を必要としたダイレクト番号選局を、１〜３回のリモコン操作で選局を行うことが可能となる。
【００６６】
図６は、本発明の第３の実施形態に係る地上波デジタル放送受信装置における、ダイレクト選局による選局処理の一例を説明するためのフロー図である。
本発明の第３の実施形態に係る地上波デジタル放送受信装置は、上述したネットワーク数判定手段，情報取得手段，サービス数判定手段，選局手段に加えて、ネットワーク数判定手段により、ネットワークが唯一でないと判定された場合に、該当する複数のネットワークをユーザ（視聴者）に提示する手段と、提示したネットワークから任意のネットワークを選択する手段と、を備えたものである。なお、ここでの選択は、ユーザによる選択（選択キーによる選択だけでなく数字入力も含む）に基づく受信装置側の選択を指す。また、これらの手段は、例えば主として選局制御部１１及び選局制御部１１にて制御する部位にハードウェアとして備えればよい。
【００６７】
第３の実施形態に係る選局処理では、まず、ステップＳ４１で、ユーザによるリモコン操作（ワンタッチボタンの押下）で１つ目の１〜１２或いはそれ以上の数字を刻印されたワンタッチ数字ボタンを入力し、その時点でサービスリストを参照し、入力されたワンタッチ数字とリスト上の（放送局を示す）サービス番号の上位２桁とを比較する（ステップＳ４２）。ステップＳ４２での比較により該当するネットワーク（放送局）が複数あるかを判定する（ステップＳ４３）。ステップＳ４３で、該当するネットワークが複数ある場合は、該当する放送局が複数ある旨又は該当放送局のリストを提示し（ステップＳ４４）、ユーザによるリモコン操作でネットワーク（放送局）を選択させることでネットワーク選択数字を入力する（ステップＳ４５）。ステップＳ４５の後、及びステップＳ４３で該当するネットワーク（放送局）が１つの場合も、そのネットワーク（放送局）に同調し、ＰＡＴ／ＰＭＴを取得して（ステップＳ４６）、現在放送中のテレビサービスの数を判定する（ステップＳ４７）。ステップＳ４７でテレビサービスが１つだけの場合は、そのサービスを選局し（ステップＳ４９）、ユーザに提示する。ステップＳ４７でサービスが複数ある場合は、ユーザによるリモコン操作で数字（サービス番号を表す数字）の入力によりサービスを選択し（ステップＳ４８）、指定されたサービスを選局し（ステップＳ４９）、ユーザに提示する。
【００６８】
図２のサービスリストを例に取って説明する。ステップＳ４１でワンタッチボタン「１」が押された場合、ステップＳ４２で図２のサービスリストを参照し、上２桁が０１のサービスを探すと、枝番０と枝番１の２つの０１１のサービス及びサービス番号０１２枝番１の合計３つのサービスが見つかる。従って、ステップＳ４３の判定は複数ありとなり、ステップＳ４４へ進む。ステップＳ４４では複数ネットワークがある旨ユーザに提示し、ステップＳ４５で２つ目のリモコン入力で１が入力されると、ステップＳ４６でサービス番号０１１および０１２枝番１のネットワーク（放送局）の周波数に同調し、ステップＳ４７でテレビサービスが、サービス番号０１１および０１２の２つあるので、ステップ４８でユーザによるリモコン入力でサービス番号０１１、または０１２を選択し、ステップＳ４９でそのサービスを選局し、ユーザにサービスを提示する。
【００６９】
図２のサービスリストを使った別のケースでは、ステップＳ４１のワンタッチボタン入力が「４」の場合は、ステップＳ４３で上位２桁が０４に該当するサービスがサービス番号０４１枝番０の１つだけなので、ステップＳ４６に進む。ステップＳ４６でネットワークに同調して該当するサービスを調べると、ステップＳ４７の判定で１つだけとなり、ステップＳ４９でサービスを選局し、ユーザに提示する。
【００７０】
本発明の第３の実施形態によれば、従来３〜４回のリモコン操作を必要としたダイレクト番号選局を、１〜３回のリモコン操作で選局を行うことが可能となる。
【００７１】
図７は、本発明の第４の実施形態に係る地上波デジタル放送受信装置における、ダイレクト選局による選局処理の一例を説明するためのフロー図である。
本発明の第４の実施形態に係る地上波デジタル放送受信装置は、上述したネットワーク数判定手段，情報取得手段，サービス数判定手段，選局手段に加えて、サービス数判定手段により、ネットワークのテレビサービスが唯一でないと判定された場合に、該当するテレビサービスをユーザ（視聴者）に提示する手段と、提示したテレビサービスから任意のテレビサービスを選択する手段と、を有するようにしている。なお、ここでの選択は、ユーザによる選択（選択キーによる選択だけでなく数字入力も含む）に基づく受信装置側の選択を指す。また、これらの手段は、例えば主として選局制御部１１及び選局制御部１１にて制御する部位にハードウェアとして備えればよい。また、図７では図６で説明した第３の実施形態に係る受信装置の構成要素をも加えた例を示している。
【００７２】
第４の実施形態に係る選局処理では、まず、ステップＳ５１で、ユーザによるリモコン操作（ワンタッチボタンの押下）で１つ目の１〜１２或いはそれ以上の数字を刻印されたワンタッチ数字ボタンを入力し、その時点でサービスリストを参照し、入力されたワンタッチ数字とリスト上の（放送局を示す）サービス番号の上位２桁とを比較する（ステップＳ５２）。その比較により該当するネットワーク（放送局）が複数あるかを判定する（ステップＳ５３）。ステップＳ５３で、該当するネットワークが複数ある場合は、該当する放送局が複数ある旨又は該当放送局のリストを提示し（ステップＳ５４）、ユーザによるリモコン操作でネットワーク（放送局）を選択させることでネットワーク選択数字を入力する（ステップＳ５５）。ステップＳ５５の後、及びステップＳ５３で該当するネットワーク（放送局）が１つの場合も、そのネットワーク（放送局）に同調し、ＰＡＴ／ＰＭＴを取得して（ステップＳ５６）、現在放送中のテレビサービスの数を判定する（ステップＳ５７）。ステップＳ５７でテレビサービスが１つだけの場合は、そのサービスを選局し（ステップＳ６０）、ユーザに提示する。ステップＳ５７でサービスが複数ある場合は、サービスが複数ある旨ユーザに提示し（ステップＳ５８）、ユーザによるリモコン操作の数字入力によりサービスを選択し（ステップＳ５９）、指定されたサービスを選局して（ステップＳ６０）、ユーザに提示する。
【００７３】
図２のサービスリストを例に取って説明する。ステップＳ５１でワンタッチボタン「１」が押された場合、ステップＳ５２で図２のサービスリストを参照し、上２桁が０１のサービスを探すと、枝番０と枝番１の２つの０１１のサービス及びサービス番号０１２枝番１の合計３つのサービスが見つかる。従って、ステップＳ５３の判定は複数ありとなり、ステップＳ５４へ進む。ステップＳ５４では複数ネットワークがある旨ユーザに提示し、ステップＳ５５で２つ目のリモコン入力で０が入力されると、ステップＳ５６でサービス番号０１１枝番０の放送局のネットワークの周波数に同調し、ステップＳ５７でテレビサービスが１つだけなので、ステップＳ６０でそれを選局し、ユーザにサービスを提示する。ステップＳ５５のリモコン入力で１が入力された場合は、ステップＳ５６でサービス番号０１１枝番１の放送局のネットワークの周波数に同調し、ステップＳ５７で現在放送中のテレビサービスが、サービス番号０１１枝番１と、サービス番号０１２枝番１の２つあるので、複数ある場合のステップＳ５８へ進み、複数のサービスがある旨ユーザに提示し、ユーザによるリモコン入力により０１１又は０１２のサービスを選択し（ステップＳ５９）、ステップＳ６０でそれを選局して、ユーザが選択したテレビサービスを提示する。また、この手順において、ステップＳ５８で、複数サービスがある場合、そのうちの１つを選局し、提示した状態で、複数サービスがある旨を提示し、ユーザによるリモコン入力があればステップＳ６０に進み、そのサービスを選局し、ユーザのリモコン操作が一定時間なければ、選局し、提示しているサービスをユーザが選択したものとみなし、その状態でサービスの選局（ステップＳ６０）まで終了したとする動作としてもよい。
【００７４】
図２のサービスリストを使った別のケースでは、ステップＳ５１のワンタッチボタン入力が「４」の場合は、ステップＳ５３で上位２桁が０４に該当するサービスがサービス番号０４１枝番０の１つだけなので、ステップＳ５６に進む。ステップＳ５６でネットワークに同調して該当するサービスを調べると、ステップＳ５７の判定で１つだけとなり、ステップＳ６０でサービスを選局し、ユーザに提示する。このケースは、ユーザによる１つのボタン操作だけで、所望のテレビサービスを選局することができる。
【００７５】
図８は、本発明の第４の実施形態に係る地上波デジタル放送受信装置における、ダイレクト選局による選局処理の他の例を説明するためのフロー図である。
第４の実施形態に係る選局処理の他の例は、図５を使って示した第２の実施形態と似ているが、該当するサービスが複数サービスあった場合の部分に相違がある。従って、ステップＳ７１〜Ｓ７５，Ｓ７９，Ｓ８０は図５のステップＳ２１〜Ｓ２５，Ｓ２８，Ｓ２９とそれぞれ同様のステップとなる。
【００７６】
相違点として、ステップＳ７５で、サービスが複数あった場合は、複数のサービスが存在する旨提示し（ステップＳ７６）、ユーザのリモコン操作（サービス番号入力）によりサービスを選択して（ステップＳ７７）、ステップＳ７８でそのサービスを選局してユーザに提示する。また、ステップＳ７３で、該当する放送局が複数ある場合は、ユーザによるリモコン操作の２つ目のワンタッチ数字入力によりサービス番号を入力して（ステップＳ７９）３桁のサービス番号を作成し、その時点でサービスリストを参照して（ステップＳ８０）、該当するサービス番号が重複しているかを判定する（ステップＳ８１）。なお、本実施形態におけるステップＳ７９でのサービス番号の入力は、ワンタッチ数字の入力によるものでなくてもよく、その他のボタンを利用してもよい。ステップＳ８１で、該当するサービスが１つだけであれば、ステップＳ７４へ進み、その後の処理を続行する。ステップＳ８１で、該当するサービスが複数ある場合は、同一３桁サービス番号が複数あるケースであり、複数のサービスが存在する旨提示し（ステップＳ８２）、ユーザによるリモコン操作で選択する枝番を入力し（ステップＳ８３）、選択されたサービスのネットワーク（放送局）に同調し、指定されたサービスを選局して（ステップＳ８４）、ユーザに提示する。
【００７７】
本発明の第４の実施形態によれば、従来３〜４回のリモコン操作を必要としたダイレクト番号選局を、１〜３回のリモコン操作で選局を行うことが可能となる。
【００７８】
以上、本発明の地上波デジタル放送受信装置及びその装置における選局方法を中心に各実施形態を説明してきたが、上述した各手段は、ハードウェアによる構成だけで構成するばかりなく、地上波デジタル放送受信装置内のＭＰＵやＣＰＵなど演算装置と、上述した各手段としてその演算装置を機能させるための選局プログラムとにより構成することも可能である。
【００７９】
さらに、本発明は、上述した各実施形態における地上波デジタル放送受信装置として、地上波デジタル放送が受信可能なコンピュータを機能させるための、或いは同コンピュータに地上波デジタル放送受信装置の選局方法を実行させるための選局プログラムとしても、或いは、それら選局プログラムを記録したコンピュータ読み取り可能な記録媒体としての形態も可能である。
【００８０】
本発明に係る地上波デジタル放送受信装置として、コンピュータを機能させるためにそのコンピュータに組み込まれる選局プログラムは、上述した各実施形態に係る地上波デジタル放送受信装置における各手段としてコンピュータのＣＰＵやＭＰＵを動作させるよう記述を行うか、若しくは、上述した各選局処理手順（或いは図４乃至図８と共に説明した処理手順）の処理をＣＰＵやＭＰＵに実行させるよう記述を行うかなどして、容易に実現可能である。
【００８１】
図９は、一般的な情報処理装置の構成例を示す図である。
本発明に係わる地上波デジタル放送受信可能なコンピュータにおける各種情報の処理について、図９に示す一般的な情報処理装置の構成例を参照して説明する。本発明に係るコンピュータで取り扱われる情報は、その処理時に一時的にＲＡＭ３２に蓄積され、各種ＲＯＭ３３に格納される。また、本発明に係る選局プログラムを、ＲＯＭ３３に蓄積し、ＣＰＵ３１が読み出すことによって実行される。また、処理の途中経過や途中結果（ユーザ選択用の情報等）は、表示装置３５を通してユーザに提示され、必要な場合には、キーボード，マウス（ポインティングデバイス）等からユーザが処理に必要なパラメータを入力指定或いは選択すればよい。このプログラムは、ユーザ（視聴者）が使用する際に容易となるような表示装置３５用のグラフィカルユーザインターフェースを備えるようにするとよい。なお、通信装置３７は、放送受信のための装置に加え、通信回線によって他の装置とデータの遣り取りを行うための装置である。また、ＣＰＵ３１，ＲＡＭ３２，ＲＯＭ３３，入力装置３４，表示装置（ＣＲＴ，ＬＣＤ等）３５，出力装置（プリンタ等）３６，通信装置３７は、バス３８により接続されるか、各要素の一部がＬＡＮ等のネットワークを介して接続されていればよい。
【００８２】
次に、本発明による地上波デジタル放送受信（選局）の機能を実現するための選局プログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、メモリスティック、及びその他各種ＲＯＭやＲＡＭ等が想定でき、これら記録媒体に上述した本発明の各実施形態の地上波デジタル放送選局機能をコンピュータに実行させ、その選局の機能を実現するためのプログラムを記録して流通させることにより、当機能の実現を容易にする。そしてコンピュータ等の情報処理装置に上述のごとくの記録媒体を装着して情報処理装置によりプログラムを読み出すか、若しくは情報処理装置が備えている記録媒体に当プログラムを記憶させておき、必要に応じて読み出すことにより、本発明に係わる選局の機能を実行することができる。
【００８３】
【発明の効果】
本発明によれば、１〜３回の、より少ないリモコンボタン操作で、プリセットから漏れたデジタル放送局を選局することが可能となる。
【図面の簡単な説明】
【図１】図１は、本発明の一実施形態に係る地上波アナログ及びデジタル放送共用受信装置の一構成例を示す機能ブロック図である。
【図２】地上波デジタル放送のサービスリストの一例を示す図である。
【図３】従来技術の地上波デジタル放送受信装置における、ダイレクト選局による選局処理を説明するためのフロー図である。
【図４】本発明の第１の実施形態に係る地上波デジタル放送受信装置における、ダイレクト選局による選局処理の一例を説明するためのフロー図である。
【図５】本発明の第２の実施形態に係る地上波デジタル放送受信装置における、ダイレクト選局による選局処理の一例を説明するためのフロー図である。
【図６】本発明の第３の実施形態に係る地上波デジタル放送受信装置における、ダイレクト選局による選局処理の一例を説明するためのフロー図である。
【図７】本発明の第４の実施形態に係る地上波デジタル放送受信装置における、ダイレクト選局による選局処理の一例を説明するためのフロー図である。
【図８】本発明の第４の実施形態に係る地上波デジタル放送受信装置における、ダイレクト選局による選局処理の他の例を説明するためのフロー図である。
【図９】一般的な情報処理装置の構成例を示す図である。
【符号の説明】
１…アンテナ、２…アナログ選局部、３…アナログ復調部、４…映像・音声選択部、５…情報重畳部、６…映像・音声出力部、７…デジタル選局部、８…デジタル復調部、９…多重ＴＳ分離部、１０…映像・音声デコーダ、１１…選局制御部、１２…情報記憶部、１３…リモコン受信部、１４…リモコン、２０…サービスリスト、２１…サービス番号、２２…枝番、２３…ワンタッチボタン、２４…放送周波数、３１…ＣＰＵ、３２…ＲＡＭ、３３…ＲＯＭ、３４…入力装置、３５…表示装置、３６…出力装置、３７…通信装置、３８…バス。
【図１】
2004274417.tif 000003
【図２】
2004274417.tif 000004
【図３】
2004274417.tif 000005
【図４】
2004274417.tif 000006
【図５】
2004274417.tif 000007
【図６】
2004274417.tif 000008
【図７】
2004274417.tif 000009
【図８】
2004274417.tif 000010
【図９】
2004274417.tif 000011